(57)【要約】      （修正有）【課題】放熱構造を簡素化すると共に、ＬＥＤライトの個別交換を可能としたいちご栽培やその他の食物栽培に使用する光源装置を提供する。【解決手段】下方開口コの字状断面のアルミ長尺体で形成された放熱体の上面１１の内側に、基板２１１にＬＥＤ発光素子（ライト部２１２）を突設すると共に発光素子周囲部分に係止鍔部２１３を設けたチップＬＥＤライト２１を、適宜間隔で配置保持してなる光源装置であって、ライトの保持部を基板の形状に対応する装着透孔を設けて放熱体上面内側に固着した装着板体２２と、基板を装着透孔に嵌合した状態のライトを係止鍔部で保持すると共に、発光素子位置に透孔を設けた蓋体２３と、蓋体の脱落を防止する蓋体固定部（側板２４及びバネ線体２５）と、で構成してなる。【選択図】図２
0003199912.tif 000002
【実用新案登録請求の範囲】
【請求項１】
下方開口コの字状断面のアルミ長尺体で形成された放熱体の上面内側に、基板にＬＥＤ発光素子を突設すると共に発光素子周囲部分に係止鍔部を設けたチップＬＥＤライトを、適宜間隔で配置保持してなる光源装置であって、前記ライトの保持部を、前記基板の形状に対応する装着透孔を設けて放熱体上面内側に固着した装着板体と、基板を装着透孔に嵌合した状態のライトを、係止して保持すると共に、発光素子位置に対応する透孔を設けた蓋体と、前記蓋板部の脱落を防止する蓋体固定部で構成してなることを特徴とする植物栽培用光源装置。
【請求項２】
蓋体固定部を、蓋体の固定位置における表面と対応する溝部を設けて放熱体左右内側面に固定した側板と、前記溝部間に架設着脱可能としたバネ線体で構成してなる請求項１記載の植物栽培用光源装置。
【請求項３】
放熱体の開口下面を鍔状に突設して透明板を載置装着すると共に、放熱体の開口両端に閉塞体を装着して透明板を保持してなる請求項１又は２記載の植物栽培用光源装置。
【考案の詳細な説明】
【技術分野】
【０００１】
本考案は、人工光による屋内のいちご栽培及びその他の植物栽培に使用する光源装置に関するものである。
【背景技術】
【０００２】
いちごの周年栽培を実現するためには、人工光による栽培が知られている。人工光の光源装置としては、例えば特許文献１の図１１に示されていように基板に多数のチップＬＥＤライトを縦列させ、放熱部となる通風管のスリット状或いは小透孔の吹き出し口に、前記基板を装着して使用している。
【０００３】
また特許文献２に示されている光源装置は、長尺板にチップＬＥＤライトを縦列させ放熱板に装着している。
【先行技術文献】
【特許文献】
【０００４】
【特許文献１】特開２０１２−２０５５２０号公報。
【特許文献２】特開２０１５−５７９６５号公報。
【考案の概要】
【考案が解決しようとする課題】
【０００５】
ＬＥＤライトを使用する光源装置においては、発熱対策として放熱構造を備える必要があり、前記した従前装置においても放熱構造が示されているが、ＬＥＤの縦列基板を通風管兼用の放熱板に装着する構成を採用しているように、放熱構造が複雑になると共に、ＬＥＤランプの交換に際して、ＬＥＤの縦列基板全体の交換或いは、基板を取り外してＬＥＤランプの交換が必要であり、交換作業が煩瑣である。
【０００６】
そこで本考案は、放熱構造が簡易であり、且つ光源装置に組み込まれたＬＥＤの単一毎の交換を容易にした植物栽培用光源装置を提案したものである。
【課題を解決するための手段】
【０００７】
本考案に係る植物栽培用光源装置は、下方開口コの字状断面のアルミ長尺体で形成された放熱体の上面内側に、基板にＬＥＤ発光素子を突設すると共に発光素子周囲部分に係止鍔部を設けたチップＬＥＤライトを、適宜間隔で配置保持してなる光源装置であって、前記ライトの保持部を、前記基板の形状に対応する装着透孔を設けて放熱体上面内側に固着した装着板と、基板を装着透孔に嵌合した状態のライトを、係止鍔部を係止して保持すると共に、発光素子位置に対応する透孔を設けた蓋体と、前記蓋体の脱落を防止する蓋体固定部で構成してなることを特徴とするものである。
【０００８】
而してライト基板は、直接放熱体に当接することになり、放熱体自体が下方開口コの字状断面のアルミ長尺体で形成されているので、長尺上面及び長尺側面から放熱され、且つ前記のアルミ長尺体は光源を組み込んだ状態で、直接栽培装置に組み込む。またライト交換に際しては、蓋体固定部の操作によって蓋体を外し、ライト基板の電源コードの接続を解除してチップＬＥＤライトを外し、新たなチップＬＥＤライトを組み込むことで、ライト交換を実施できる。
【考案の効果】
【０００９】
本考案の構成は上記のとおりで、光源装置がアルミ長尺体である放熱体に組み込まれているので、そのままいちご栽培棚やその他の植物栽培棚に組み込むことができ、取り扱いが便利であると共に、チップＬＥＤライトの交換を個別に行うことができ、栽培に適する光束量・波長のライトへの変更、消耗したライトの交換などが容易に行うことができるものである。
【図面の簡単な説明】
【００１０】
【図１】本考案の実施形態を示す一部省略した切断斜視図。
【図２】同断面図。
【図３】同光源部の使用部材の分解斜視図。
【図４】同組み立て図（上下逆転させた斜視図）。
【考案を実施するための形態】
【００１１】
次に本考案の実施形態について説明する。実施形態に示した光源装置は、放熱体１と放熱体１に適宜間隔（１４５ｍｍ）で組み込まれた光源部２と、カバーとなる透明板３と、放熱体１の両端に装着される閉塞体４で構成される。
【００１２】
放熱体１は、上面（Ｄ＝４４ｍｍ）１１と両側面（Ｈ＝２２ｍｍ）１２ａ，１２ｂを備えた下方開口コの字状断面のアルミ長尺体（Ｌ＝１２８０ｍｍ）で形成され、開口部分には、特に内側に突設した鍔部１３を設けたものである。
【００１３】
光源部２は、前記放熱体１に８個組み込んだもので、各々チップＬＥＤライト（以下「ライト」という）２１と、装着板体２２と、蓋体２３と、蓋体固定部を構成する側板２４とバネ線体２５からなる。
【００１４】
ライト２１は、基板２１１にライト部（ＬＥＤ発光素子を内蔵し、透明カバーで被覆した構造）２１２を突設すると共に、下面側周囲に係止鍔部２１３を設けたものであり、基板２１１には電源接続端子２１４を設け、電源コード５を接続（ハンダ付け）する。
【００１５】
装着板体２２と側板２４は、放熱体１の上面１１の内側及び側面１２ａ，１２ｂの内面に固着したものである。
【００１６】
装着板体２２は、基板２１１の形状に対応する装着透孔２２１を設け、長尺方向端部側に蓋体２３の受筒部２２２を突設し、蓋体２３は、ライト部２１２の下面（光放射面）に対応する透孔２３１を設けると共に、前記透孔２３１の孔縁が係止鍔部２１３の係止部となるようにし、且つ受筒部２２２に挿入して蓋体２３の装着位置決め部とする脚部２３２を設けたものである。
【００１７】
側板２４は、蓋体２３を装着した際の蓋体表面の高さの内側面に、溝部２４１を設けたものであり、バネ線体２５は、Ｕ字状に撓曲させ端部２５１を内側に折曲したものである。
【００１８】
ライトの組み込みは、装着板体２２の装着透孔２２１にライト２１の基板２１１を嵌合装着し、電源コード５を基板２１１の電源接続端子２１４にハンダ付けし、ライト２１に蓋体２３を被冠して、バネ線体２５を溝部２４１間に架設し、蓋体２３を保持状態とする。更に透明板３を鍔分１３上に載置し、閉塞体４を放熱体１の開口両端面のそれぞれに嵌合装着して、透明板３を保持させる。
【００１９】
而して前記の光源部２を組み込んだ長尺の放熱体１をいちごの栽培棚（その他の植物栽培棚）の上方に配置し、適宜な電源部が電力供給して、直列接続したライト２１を点灯させて、いちご栽培（植物栽培）を実施するものである。
【００２０】
特に本考案の光源装置は、ライト２１の基板２１１が、直接放熱体１に当接しており、放熱体１自体が下方開口コの字状断面のアルミ長尺体で形成されているので、長尺の上面１１及び長尺の両側面１２ａ，１２ｂから放熱されることになる。
【００２１】
更にライト２１の交換は、閉塞体４と透明板３を外し、交換するライト２１の光源部２のバネ線体２５を外すと蓋体２３が外れ、ライト２１の交換が可能となるものである。
【００２２】
従ってチップＬＥＤライト２１の交換を個別に行うことができ、当該植物の栽培に適する光束量・波長のライトへの変更、消耗したライトの交換などが容易に行うことができるものである。
【符号の説明】
【００２３】
１      放熱体
１１    上面
１２ａ，１２ｂ  側面
１３    鍔部
２      光源部
２１    チップＬＥＤライト（ライト）
２１１    基板
２１２    ライト部
２１３    係止鍔部
２１４    電源接続端子
２２    装着板体
２２１    装着透孔
２２２    受筒部
２３    蓋体
２３１    透孔
２３２    脚部
２４    側板
２４１    溝部
２５    バネ線体
２５１    端部
３      透明板
４      閉塞体
５      電源コード
【図１】
0003199912.tif 000003
【図２】
0003199912.tif 000004
【図３】
0003199912.tif 000005
【図４】
0003199912.tif 000006